(57)【要約】【課題】ネットワーク上に追加する被管理装置やネットワーク上から削除する被管理装置を示すシンボルを、自動的に二次元空間図に登録・削除する。【解決手段】ネットワーク上に新たに接続された機器や、ネットワーク上から削除された機器を検出する機器検出部１０２と、機器検出部１０２がネットワーク上に新たな機器の追加・削除を検出した場合に、その機器の詳細情報を機器情報蓄積部１０３から取得する機器情報取得部１０４と、機器検出部１０２において機器の追加・削除が検出された場合に、マップ情報蓄積部１０５から新たに機器の追加・削除がなされる以前の状態のフロアマップ情報を取得するマップ情報取得部１０６と、機器情報取得部１０４が取得した機器情報と、マップ情報取得部１０６が取得したフロアマップ情報に基づいて、新たに表示するフロアマップを作成する表示内容作成部１０７と、を備える。【選択図】        図１
2006163839.tif 000002
【特許請求の範囲】
【請求項１】
ネットワークを介して一または複数の被管理装置を管理するネットワーク管理装置であって、
ユーザの操作に応じて前記被管理装置を示すシンボルと背景の位置関係を表す二次元空間図を作成する二次元空間図作成手段と、
ネットワークに新たに接続された被管理装置を検出する装置検出手段と、
前記装置検出手段が検出した被管理装置のシンボルを前記二次元空間図作成手段が作成した二次元空間図に表示する表示内容作成手段と、
を備えたことを特徴とするネットワーク管理装置。
【請求項２】
前記装置検出手段は、所定の時間ごとに被管理装置を検出することを特徴とする請求項１に記載のネットワーク管理装置。
【請求項３】
前記表示内容作成手段は、前記装置検出手段により新たに検出された被管理装置のシンボルを、他の被管理装置のシンボルとは異なる表示態様で前記二次元空間図に表示することを特徴とする請求項１または２に記載のネットワーク管理装置。
【請求項４】
さらに、前記装置検出手段は、ネットワーク上から削除された被管理装置を検出し、前記表示内容作成手段は、前記装置検出手段が検出したネットワーク上から削除された被管理装置を示すシンボルを前記二次元空間図から削除することを特徴とする請求項１〜３のいずれか一つに記載のネットワーク管理装置。
【請求項５】
所定の時間ごとに、ネットワーク上に新たに追加された被管理装置を検出する追加被管理装置検出工程と、
前記追加被管理装置検出工程において新たに追加された被管理装置が検出された場合に、追加された被管理装置を示すシンボルを取得する追加被管理装置シンボル取得工程と、
当該被管理装置が追加された以前の状態の二次元空間図を取得する二次元空間図取得工程と、
前記追加被管理装置シンボル取得工程で取得されたシンボルを、前記二次元空間図取得工程で取得された二次元空間図に表示する表示内容作成工程と、
を含むことを特徴とするネットワーク管理方法。
【請求項６】
所定の時間ごとに、ネットワーク上から削除された被管理装置を検出する削除被管理装置検出工程と、
前記削除被管理装置検出工程において削除された被管理装置が検出された場合に、当該被管理装置が削除された以前の状態の二次元空間図を取得する二次元空間図取得工程と、
前記削除被管理装置検出工程で検出された被管理装置を示すシンボルを、前記二次元空間図取得工程で取得された二次元空間図から削除する表示内容作成工程と、
を含むことを特徴とするネットワーク管理方法。
【請求項７】
請求項５または６に記載のネットワーク管理方法をコンピュータに実行させることを特徴とするネットワーク管理プログラム。
【発明の詳細な説明】
【技術分野】
【０００１】
この発明は、ネットワーク上に接続されている各種機器の管理を行うネットワーク管理装置、ネットワーク管理方法、およびネットワーク管理プログラムに関する。
【背景技術】
【０００２】
従来より、ネットワーク上に接続されている被管理装置のオフィス内での配置状態を二次元空間図として表示し管理する技術が提案されている（たとえば、特許文献１を参照。）。この技術は、各装置の場所が視覚的、直感的に把握できるため、ネットワーク管理者のみならず、自分の使用している装置の情報を取得したい一般のユーザにとっても好都合なものである。
【０００３】
【特許文献１】特開２００３−２１６３９６号公報
【発明の開示】
【発明が解決しようとする課題】
【０００４】
しかしながら、上記特許文献に開示された従来技術では、使用する装置が増えるたびに、二次元空間図にユーザが手動で当該装置のシンボルを追加配置しなければならなかった。また、使用する装置を減らす場合にも、やはりユーザが手動で不要な装置のシンボルを削除しなければならなかった。このように、従来技術では、二次元空間図の作成や編集をユーザが手動で行わなければならず、フロア内の装置の配置状態によっては二次元空間図の作成・編集に多大な工数、手間がかかるという問題があった。
【０００５】
この発明は、上述した従来技術による問題点を解消するため、ネットワーク上に追加する被管理装置やネットワーク上から削除する被管理装置を示すシンボルを自動的に二次元空間図に登録・削除することができるネットワーク管理装置、ネットワーク管理方法、およびネットワーク管理プログラムを提供することを目的とする。
【課題を解決するための手段】
【０００６】
上述した課題を解決し、目的を達成するため、この発明の請求項１にかかるネットワーク管理装置は、ネットワークを介して一または複数の被管理装置を管理するネットワーク管理装置であって、ユーザの操作に応じて前記被管理装置を示すシンボルと背景の位置関係を表す二次元空間図を作成する二次元空間図作成手段と、ネットワークに新たに接続された被管理装置を検出する装置検出手段と、前記装置検出手段が検出した被管理装置のシンボルを前記二次元空間図作成手段が作成した二次元空間図に表示する表示内容作成手段と、を備えたことを特徴とする。
【０００７】
この請求項１に記載の発明によれば、ネットワーク上に新たに追加された被管理装置を示すシンボルを自動的に二次元空間図に登録することができる。
【０００８】
また、請求項２にかかるネットワーク管理装置は、請求項１に記載の発明において、前記装置検出手段は、所定の時間ごとに被管理装置を検出することを特徴とする。
【０００９】
この請求項２に記載の発明によれば、所定の時間ごとにネットワーク上の被管理装置の存在を検出することができる。
【００１０】
また、請求項３にかかるネットワーク管理装置は、請求項１または２に記載の発明にお
いて、前記表示内容作成手段は、前記装置検出手段により新たに検出された被管理装置のシンボルを、他の被管理装置のシンボルとは異なる表示態様で前記二次元空間図に表示することを特徴とする。
【００１１】
この請求項３に記載の発明によれば、新たに追加された被管理装置を二次元空間図上で容易に識別することができる。
【００１２】
また、請求項４にかかるネットワーク管理装置は、請求項１〜３のいずれか一つに記載の発明において、さらに、前記装置検出手段は、ネットワーク上から削除された被管理装置を検出し、前記表示内容作成手段は、前記装置検出手段が検出したネットワーク上から削除された被管理装置を示すシンボルを前記二次元空間図から削除することを特徴とする。
【００１３】
この請求項４に記載の発明によれば、ネットワーク上から削除された被管理装置を示すシンボルを自動的に二次元空間図から削除することができる。
【００１４】
また、請求項５にかかるネットワーク管理方法は、所定の時間ごとに、ネットワーク上に新たに追加された被管理装置を検出する追加被管理装置検出工程と、前記追加被管理装置検出工程において新たに追加された被管理装置が検出された場合に、追加された被管理装置を示すシンボルを取得する追加被管理装置シンボル取得工程と、当該被管理装置が追加された以前の状態の二次元空間図を取得する二次元空間図取得工程と、前記追加被管理装置シンボル取得工程で取得されたシンボルを、前記二次元空間図取得工程で取得された二次元空間図に表示する表示内容作成工程と、を含むことを特徴とする。
【００１５】
この請求項５に記載の発明によれば、ネットワーク上に新たに追加された被管理装置を示すシンボルを自動的に二次元空間図に登録することができる。
【００１６】
また、請求項６にかかるネットワーク管理方法は、所定の時間ごとに、ネットワーク上から削除された被管理装置を検出する削除被管理装置検出工程と、前記削除被管理装置検出工程において削除された被管理装置が検出された場合に、当該被管理装置が削除された以前の状態の二次元空間図を取得する二次元空間図取得工程と、前記削除被管理装置検出工程で検出された被管理装置を示すシンボルを、前記二次元空間図取得工程で取得された二次元空間図から削除する表示内容作成工程と、を含むことを特徴とする。
【００１７】
この請求項６に記載の発明によれば、ネットワーク上から削除された被管理装置を示すシンボルを自動的に二次元空間図から削除することができる。
【００１８】
また、請求項７にかかるネットワーク管理プログラムは、請求項５または６に記載のネットワーク管理方法をコンピュータに実行させることを特徴とする。
【００１９】
この請求項７に記載の発明によれば、請求項５または６に記載のネットワーク管理方法をコンピュータに実行させることができる。
【発明の効果】
【００２０】
以上説明したように、請求項１に記載の発明によれば、ネットワークを介して一または複数の被管理装置を管理するネットワーク管理装置であって、ユーザの操作に応じて前記被管理装置を示すシンボルと背景の位置関係を表す二次元空間図を作成する二次元空間図作成手段と、ネットワークに新たに接続された被管理装置を検出する装置検出手段と、前記装置検出手段が検出した被管理装置のシンボルを前記二次元空間図作成手段が作成した二次元空間図に表示する表示内容作成手段と、を備えたので、ネットワーク上に新たに追
加された被管理装置を示すシンボルを自動的に二次元空間図に登録することができるという効果を奏する。
【００２１】
また、請求項２に記載の発明によれば、請求項１に記載の発明において、前記装置検出手段は、所定の時間ごとに被管理装置を検出するので、所定の時間ごとにネットワーク上の被管理装置の存在を検出することができるという効果を奏する。
【００２２】
また、請求項３に記載の発明によれば、請求項１または２に記載の発明において、前記表示内容作成手段は、前記装置検出手段により新たに検出された被管理装置のシンボルを、他の被管理装置のシンボルとは異なる表示態様で前記二次元空間図に表示するので、新たに追加された被管理装置を二次元空間図上で容易に識別することができるという効果を奏する。
【００２３】
また、請求項４に記載の発明によれば、請求項１〜３のいずれか一つに記載の発明において、さらに、前記装置検出手段は、ネットワーク上から削除された被管理装置を検出し、前記表示内容作成手段は、前記装置検出手段が検出したネットワーク上から削除された被管理装置を示すシンボルを前記二次元空間図から削除するので、ネットワーク上から削除された被管理装置を示すシンボルを自動的に二次元空間図から削除することができるという効果を奏する。
【００２４】
また、請求項５に記載の発明によれば、所定の時間ごとに、ネットワーク上に新たに追加された被管理装置を検出する追加被管理装置検出工程と、前記追加被管理装置検出工程において新たに追加された被管理装置が検出された場合に、追加された被管理装置を示すシンボルを取得する追加被管理装置シンボル取得工程と、当該被管理装置が追加された以前の状態の二次元空間図を取得する二次元空間図取得工程と、前記追加被管理装置シンボル取得工程で取得されたシンボルを、前記二次元空間図取得工程で取得された二次元空間図に表示する表示内容作成工程と、を含むので、ネットワーク上に新たに追加された被管理装置を示すシンボルを自動的に二次元空間図に登録することができるという効果を奏する。
【００２５】
また、請求項６に記載の発明によれば、所定の時間ごとに、ネットワーク上から削除された被管理装置を検出する削除被管理装置検出工程と、前記削除被管理装置検出工程において削除された被管理装置が検出された場合に、当該被管理装置が削除された以前の状態の二次元空間図を取得する二次元空間図取得工程と、前記削除被管理装置検出工程で検出された被管理装置を示すシンボルを、前記二次元空間図取得工程で取得された二次元空間図から削除する表示内容作成工程と、を含むので、ネットワーク上から削除された被管理装置を示すシンボルを自動的に二次元空間図から削除することができるという効果を奏する。
【００２６】
また、請求項７に記載の発明によれば、請求項５または６に記載のネットワーク管理方法をコンピュータに実行させることによって、請求項５または６に記載のネットワーク管理方法をコンピュータで実現することが可能なプログラムが得られるという効果を奏する。
【発明を実施するための最良の形態】
【００２７】
以下、添付図面を参照して、この発明にかかるネットワーク管理装置、ネットワーク管理方法、およびネットワーク管理プログラムの好適な実施の形態を詳細に説明する。
【００２８】
（ネットワーク管理装置の機能的構成）
まず、この発明の実施の形態にかかるネットワーク管理装置の機能的構成について説明
する。図１は、このネットワーク管理装置の機能的構成を示す図である。このネットワーク管理装置１００は、ネットワークを介して接続されている情報処理装置や印刷装置などの接続状況を管理する。
【００２９】
図１に示すように、このネットワーク管理装置１００は、通信制御部１０１、機器（被管理装置）検出部１０２、機器（被管理装置）情報蓄積部１０３、機器（被管理装置）情報取得部１０４、マップ（二次元空間図）情報蓄積部１０５、マップ（二次元空間図）情報取得部１０６、および表示内容作成部１０７を含み構成される。
【００３０】
通信制御部１０１は、ネットワークに対するデータなどの送受信の制御を行う。機器検出部１０２は、ネットワーク上に新たに接続された機器や、ネットワーク上から削除された機器を検出する。機器情報蓄積部１０３には、情報処理装置をはじめとするネットワークに接続可能な各種機器の詳細情報（たとえば、機器名、機器の種別、各機器のシンボルなど）が蓄積されている。機器情報取得部１０４は、機器検出部１０２がネットワーク上に新たに接続された機器を検出した場合に、その機器の詳細情報を機器情報蓄積部１０３から取得する。マップ情報蓄積部１０５は、新たに機器の追加・削除がなされる以前の状態のフロアマップ（二次元空間図）の詳細情報（マップ名、すでに配置されている機器のＩＰアドレスやシンボルの位置情報、背景画像など）が蓄積されている。マップ情報取得部１０６は、機器検出部１０２において機器の追加・削除が検出された場合に、マップ情報蓄積部１０５から新たに機器の追加・削除がなされる以前の状態の詳細なフロアマップ情報を取得する。表示内容作成部１０７は、機器情報取得部１０４が取得した機器情報と、マップ情報取得部１０６が取得したフロアマップ情報に基づいて、新たに表示するフロアマップを作成する。表示部１０８は、表示内容作成部１０７が作成したフロアマップを表示する。
【００３１】
このネットワーク管理装置１００で作成されたフロアマップは、ネットワークを介してネットワーク管理装置１００と接続されている情報表示装置１１０（ＰＣやＰＤＡなど）で表示される。この情報表示装置１１０の表示部には、機器の検出開始時に、図２に示すようなログイン画面２００が表示される。そして、ログイン画面２００の所定領域にあらかじめ規定されているログインネーム（またはログインＩＤ）とログインパスワードを入力し、「ＯＫ」ボタン２０１を押下すると、図３に示すようなメニュー画面３００が表示される。このメニュー画面３００には、検出を行う機器のアイコンが表示される。検出したい機器のアイコン（この例ではプリンタアイコン３０１）を押下すると、次に図４に示すような被検出機器一覧画面４００が表示される。この被検出機器一覧画面４００では、中央部にネットワークに接続されたプリンタのＩＰアドレスやステータスが、左側には一覧の表示切替、グループ情報、フロアマップ情報を取得するためのリンクが設けられた欄などからなる被管理装置の一覧画面画が表示される。この被検出機器一覧画面４００において、表示したいマップを選択すると、該当するフロアマップとフロアに配置された被管理装置のシンボルが配置されたフロアマップを示すマップ画面５００が表示される（図５参照）。なお、ネットワーク管理装置１００内に各種情報を表示する表示部を設ければ、情報表示装置１１０の表示部に表示する内容をネットワーク管理装置１００内の表示部に表示することができる。
【００３２】
（ネットワーク管理装置のハードウェア構成）
次に、この発明の実施の形態にかかるネットワーク管理装置のハードウェア構成について説明する。図６は、このネットワーク管理装置のハードウェア構成を示す図である。
【００３３】
このネットワーク管理装置１００は、ＣＰＵ６０１と、ＲＯＭ６０２と、ＲＡＭ６０３と、ＨＤＤ（ハードディスクドライブ）６０４と、ＨＤ（ハードディスク）６０５と、ＦＤＤ（フレキシブルディスクドライブ）６０６と、着脱可能な記録媒体の一例としてのＦ
Ｄ（フレキシブルディスク）６０７と、Ｉ／Ｆ（インタフェース）６０９と、キーボード６１０と、マウス６１１と、を備えている。そして、上記各構成部はバス６００によってそれぞれ接続されている。
【００３４】
ＣＰＵ６０１は、このネットワーク管理装置１００全体の制御を司り、また前述の機器検出部１０２、機器情報取得部１０４、マップ情報取得部１０６、および表示内容作成部１０７の機能を実現する。ＲＯＭ６０２は、ブートプログラムなどのプログラムを記憶している。ＲＡＭ６０３は、ＣＰＵ６０１のワークエリアとして使用される。
【００３５】
ＨＤＤ６０４は、ＣＰＵ６０１の制御にしたがってＨＤ６０５に対するデータのリード／ライトを制御する。ＨＤ６０５は、ＨＤＤ６０４の制御で書き込まれたデータを記憶する。ＦＤＤ６０６は、ＣＰＵ６０１の制御にしたがってＦＤ６０７に対するデータのリード／ライトを制御する。ＦＤ６０７は、ＦＤＤ６０６の制御で書き込まれたデータを記憶したり、ＦＤ６０７に記録されたデータを装置に読み取らせたりする。着脱可能な記録媒体として、ＦＤ６０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。これらＨＤＤ６０４、ＨＤ６０５、ＦＤＤ６０６、ＦＤ６０７などで前述の機器情報蓄積部１０３、マップ情報蓄積部１０５の機能を実現する。
【００３６】
Ｉ／Ｆ６０９は、通信回線６１２を通じてネットワークに接続され、ネットワークとネットワーク管理装置１００とのインタフェースを司り、他の情報処理装置などからのデータの入出力を制御する。このＩ／Ｆ６０９は、前述の通信制御部１０１の機能を実現するもので、たとえばモデムやＬＡＮアダプタなどである。
【００３７】
キーボード６１０は、文字、数字、各種指示などの入力のためのキーを備え、データの入力を行う。タッチパネル式の入力パッドやテンキーなどであってもよい。マウス６１１は、カーソルの移動や範囲選択、あるいはウインドウの移動やサイズの変更などを行う。ポインティングデバイスとして同様の機能を備えるものであれば、トラックボール、ジョイスティック、十字キー、ジョグダイヤルなどであってもよい。
【００３８】
（ネットワーク管理装置の処理手順）
次に、この発明の実施の形態にかかるネットワーク管理装置の処理手順について説明する。図７は、このネットワーク管理装置の処理手順を示すフローチャートである。
【００３９】
図７に示すフローチャートにおいて、まず、機器検出部１０２が、ネットワーク上に変化があったか否かを検出する（ステップＳ７０１）。ネットワーク上に変化があった場合（ステップＳ７０１：Ｙｅｓ）は、ステップＳ７０２へ移行する。ネットワーク上に変化がなかった場合（ステップＳ７０１：Ｎｏ）は、再度ステップＳ７０１の処理を続行する。なお、このステップＳ７０１の処理は、所定の時間ごとに行われる。
【００４０】
ネットワーク上に変化があった場合（ステップＳ７０１：Ｙｅｓ）は、機器検出部１０２がネットワーク上に新たな機器が追加されたか否かを検出する（ステップＳ７０２）。新たな機器が追加された場合（ステップＳ７０２：Ｙｅｓ）はステップＳ７０３へ移行し、新たな機器が追加されていない場合（ステップＳ７０２：Ｎｏ）はステップＳ７０４へ移行する。
【００４１】
新たな機器が追加された場合（ステップＳ７０２：Ｙｅｓ）は、追加機器マップ（二次元空間図）を作成する（ステップＳ７０３）。この工程では、機器情報取得部１０４が、ネットワーク上で新たに検出された機器のシンボルを機器情報蓄積部１０３から取得する。同時に、マップ情報取得部１０６が、マップ情報蓄積部１０５から新たな機器が追加さ
れる以前の状態を示すフロアマップ８００（図８参照）を取得する。そして、表示内容作成部１０７が、図９に示すように、フロアマップ８００上に新たに追加された機器シンボル９０１をまず任意の位置に表示する。なお、この機器シンボル９０１は、フロアマップ８００上に表示されている他の機器のシンボルと異なる表示態様とすることが好ましい。最後に、表示内容作成部１０７が機器検出部１０２が検出した機器の位置情報を参照して、図１０に示すように、ユーザが機器シンボル９０１を他の機器のシンボルと重ならない位置に移動させる。
【００４２】
一方、新たな機器が追加されていない場合（ステップＳ７０２：Ｎｏ）は、削除機器マップを作成する（ステップＳ７０４）。この工程では、機器情報取得部１０４が、ネットワーク上から削除された機器のシンボルを機器情報蓄積部１０３から取得する。同時に、マップ情報取得部１０６が、マップ情報蓄積部１０５から当該機器が削除される以前の状態のフロアマップ１１００（図１１参照）を取得する。そして、表示内容作成部１０７が、図１２に示すように、ネットワーク上から削除された機器のシンボルをフロアマップ１１０１から削除する。
【００４３】
なお、ステップＳ７０３、ステップＳ７０４でそれぞれ新たに作成されたフロアマップはマップ情報蓄積部１０５に蓄積される。
【００４４】
最後に、情報表示装置１１０の表示部が、表示内容作成部１０７が作成した最新のフロアマップを表示する（ステップＳ７０５）。
【００４５】
以上のような手順を経ることにより、このネットワーク管理装置は、管理対象のネットワーク上に新たに機器が接続された場合には、その機器を検出し、フロアマップ上の適切な位置に当該機器を示すシンボルを、自動的に追加することができる。また、管理対象のネットワークに接続されている機器が削除された場合には、その機器を検出し、フロアマップ上に表示されている当該機器を示すシンボルを、自動的に削除することができる。
【００４６】
以上説明したように、この発明にかかるネットワーク管理装置、ネットワーク管理方法、およびネットワーク管理プログラムによれば、管理対象のネットワーク上に追加（または削除）された機器の状態を忠実に反映させたフロアマップを作成することができる。
【００４７】
なお、この実施の形態で説明したネットワーク管理方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００４８】
以上のように、本発明にかかるネットワーク管理装置、ネットワーク管理方法、およびネットワーク管理プログラムは、管理対象のネットワークに接続された各種機器の管理に有用であり、特に、管理対象のネットワークに接続された各種機器の接続状態を忠実に反映させたフロアマップの作成に適している。
【図面の簡単な説明】
【００４９】
【図１】この発明の実施の形態にかかるネットワーク管理装置の機能的構成を示す図である。
【図２】ログイン画面の一表示例を示す図である。
【図３】メニュー画面の一表示例を示す図である。
【図４】被検出機器一覧画面の一表示例を示す図である。
【図５】マップ画面の一表示例を示す図である。
【図６】この発明の実施の形態にかかるネットワーク管理装置のハードウェア構成を示す図である。
【図７】この発明の実施の形態にかかるネットワーク管理装置の処理手順を示すフローチャートである。
【図８】新たな機器が追加される以前の状態を示すフロアマップ図である。
【図９】新たに追加された機器を示すシンボルが表示された状態を示すフロアマップ図である。
【図１０】新たに追加された機器を示すシンボルが適切な位置に表示された状態を示すフロアマップ図である。
【図１１】特定の機器が削除される以前の状態を示すフロアマップ図である。
【図１２】特定の機器が削除された後の状態を示すフロアマップ図である。
【符号の説明】
【００５０】
１００  ネットワーク管理装置
１０１  通信制御部
１０２  機器検出部
１０３  機器情報蓄積部
１０４  機器情報取得部
１０５  マップ情報蓄積部
１０６  マップ情報取得部
１０７  表示内容作成部
１１０  情報表示装置
６００  バス
６０１  ＣＰＵ
６０２  ＲＯＭ
６０３  ＲＡＭ
６０４  ＨＤＤ
６０５  ＨＤ
６０６  ＦＤＤ
６０７  ＦＤ
６０９  Ｉ／Ｆ
６１０  キーボード
６１１  マウス
６１２  通信回線
【図１】
2006163839.tif 000003
【図２】
2006163839.tif 000004
【図３】
2006163839.tif 000005
【図４】
2006163839.tif 000006
【図５】
2006163839.tif 000007
【図６】
2006163839.tif 000008
【図７】
2006163839.tif 000009
【図８】
2006163839.tif 000010
【図９】
2006163839.tif 000011
【図１０】
2006163839.tif 000012
【図１１】
2006163839.tif 000013
【図１２】
2006163839.tif 000014